(57)【要約】【課題】高圧水を用いた洗浄作業に引き続いて水滴の除去作業を行う際に、電源を確保することがなく、エアーを用いた水滴の除去作業を行うことができるブロア装置を提供する。【解決手段】高圧水の水路に接続され、動力室３１内に水を吐出させる取付口３２と、動力室３１に配置され、取付口３２から吐出される水によって回転する水車３３と、動力室３１外に水を排出する排出口とを有する動力部３０と、水車３３の回転に追従して回転するファン４２と、ファン４２の回転によってエアーが吸引される吸風口４３と、吸風口４３から吸引されたエアーを排出する排風口とを有するブロア部４０とを備えている。【選択図】図３
2014233659.tif 000002
【特許請求の範囲】
【請求項１】
高圧水の水路に接続され、動力室内に水を吐出させる取付口と、前記動力室に配置され、前記取付口から吐出される水によって回転する水車と、前記動力室外に水を排出する排出口とを有する動力部と、
前記水車の回転に追従して回転するファンと、該ファンの回転によってエアーが吸引される吸風口と、該吸風口から吸引されたエアーを排出する排風口とを有するブロア部とを具備することを特徴とするブロア装置。
【請求項２】
前記取付口は、高圧洗浄機からの高圧水の水路の開閉を操作するトリガガンとの接続部を具備することを特徴とする請求項１記載のブロア装置。
【請求項３】
前記取付口は、吐出圧力を調整する水量調整機構を具備することを特徴とする請求項１又は２記載のブロア装置。
【請求項４】
前記動力室の下面は、前記水車の回転軸方向から見て略円弧状の円弧面であり、該円弧面には、円弧に沿って長穴が形成され、前記排出口は、前記長穴に沿って揺動可能に取り付けられていることを特徴とする請求項１乃至３のいずれかに記載のブロア装置。
【発明の詳細な説明】
【技術分野】
【０００１】
本発明は、送風を行うブロア装置に関し、特に、水流を用いた洗浄作業後の洗浄面に残った水滴の除去作業を行うブロア装置に関する。
【背景技術】
【０００２】
従来から、加圧された水を吹き付けて自動車・農器具・窓ガラス・床面・外壁などの洗浄を行う高圧洗浄機は周知である。図１０乃至図１２を参照すると、高圧洗浄機の本体1には、供給される水の吸水口２と加圧された水の出水口３とを有するポンプ４と、ポンプ４を駆動するためのモータ５とが内蔵され、電源をＯＮ／ＯＦＦするスイッチ６が設けられている。スイッチ６によって電源がＯＮされると、モータ５によってポンプ４が駆動され、吸水口２から供給される水がポンプ４によって加圧され、加圧された水が高圧水として出水口３から出力される。
【０００３】
出水口３には、噴出装置が接続される。噴出装置は、図１０乃至図１２に示すように、高圧の水に耐えられる高圧ホース７と、高圧ホース７に接続されるトリガガン８とから構成されている。トリガガン８の先端には、高圧の水を吐出させるノズル９が備え付けられている。さらに、トリガガン８は、出水口３から出力される高圧水を遮断／解放を可能とする開閉弁を操作するトリガ１０が設けられている。また、吸水口２には、吸水装置が接続される。吸水装置は、図１０及び図１２に示すように、吸水のためのホース１１で構成されている。ホース１１は、図１０に示すように、水道の蛇口１２に接続したり、図１１に示すように、バケツ等の貯水容器１３の溜め水内に投入したりして用いられる。なお、吸水装置を使用せず、図１２に示すように、吸水口２に溜め水用の貯水容器１３を直接接続する場合もある。
【０００４】
スイッチ６の操作により電源がＯＮされると、モータ５によってポンプ４が駆動される。ポンプ４内で加圧された水は、高圧水として出水口３から出力され、トリガガン８のトリガ１０を引くことでトリガガン８内部の開閉弁が開いて高圧水がノズル９から水流として噴射され、トリガ１０を戻すとトリガガン８内部の開閉弁が閉じて高圧水が遮断される。このときポンプ４内の水の圧力は上がり続けるが、一定の圧力になるとポンプ４に設けられた圧力スイッチ部が作動して、モータ５の回転を停止させるとほぼ同時にポンプ４内の水圧が減ずる構成となっている。圧力スイッチ部の構成については説明を省略する。
【０００５】
このように構成された高圧洗浄機で洗浄した際には、必ず洗浄面に水滴が残ってしまうため、水あかや水滴跡が付かないように、洗浄面についた水滴を洗浄作業後に除去することが行われている。水滴の除去には、布や先端に弾性体が付いたワイパー等を用いることが一般的であるが、近年では、水滴をエアーで吹き飛ばすブロア装置が用いられている。
【先行技術文献】
【特許文献】
【０００６】
【特許文献１】特開２００６−５２６７５号公報
【発明の概要】
【発明が解決しようとする課題】
【０００７】
しかしながら、従来技術では、高圧洗浄機を用いた洗浄作業後の洗浄面に残った水滴の除去作業にブロア装置を用いることで、作業性が向上するが、ブロア装置のための電源（ＡＣまたはＤＣ）が必要になる。従って、高圧洗浄機による洗浄作業に引き続いて水滴の除去作業を行うにあたり、ブロア装置用の電源を高圧洗浄機とは別途に用意したり、高圧洗浄機の電源をブロア装置に付け替えたりして、ブロア装置用の電源を確保する煩雑な手間が必要になってしまうという問題点があった。
【０００８】
本発明は以上のような状況に鑑みなされたものであって、上記課題を解決し、高圧水を用いた洗浄作業に引き続いて水滴の除去作業を行う際に、電源を確保することがなく、エアーを用いた水滴の除去作業を行うことができるブロア装置を提供することを目的とする。
【課題を解決するための手段】
【０００９】
本発明のブロア装置は、高圧水の水路に接続され、動力室内に水を吐出させる取付口と、前記動力室に配置され、前記取付口から吐出される水によって回転する水車と、前記動力室外に水を排出する排出口とを有する動力部と、前記水車の回転に追従して回転するファンと、該ファンの回転によってエアーが吸引される吸風口と、該吸風口から吸引されたエアーを排出する排風口とを有するブロア部とを具備することを特徴とする。
さらに、本発明のブロア装置において、前記取付口は、高圧洗浄機からの高圧水の水路の開閉を操作するトリガガンとの接続部を備えても良い。
さらに、本発明のブロア装置において、前記取付口は、吐出圧力を調整する水量調整機構を備えても良い。
さらに、本発明のブロア装置において、前記動力室の下面は、前記水車の回転軸方向から見て略円弧状の円弧面であり、該円弧面には、円弧に沿って長穴が形成され、前記排出口は、前記長穴に沿って揺動可能に取り付けられていても良い。
【発明の効果】
【００１０】
本発明によれば、洗浄作業に用いる高圧水を動力として用いることができるため、高圧水を用いた洗浄作業に引き続いて水滴の除去作業を行う際に、電源を確保することがなく、エアーを用いた水滴の除去作業を行うことができる。
【図面の簡単な説明】
【００１１】
【図１】本発明に係るブロア装置の実施の形態の構成を示す一部を断面で示した側面図である。
【図２】本発明に係るブロア装置の実施の形態の構成を示す概略側面図である。
【図３】本発明に係るブロア装置の実施の形態の構成を示す一部を断面で示した上面図である。
【図４】本発明に係るブロア装置の実施の形態の構成を示す一部を断面で示した背面図である。
【図５】図１に示すブロア装置の高圧洗浄機への取り付け例を示す側面図である。
【図６】図１に示すブロア装置の高圧洗浄機への取り付け例を示す側面図である。
【図７】図１に示すブロア装置の高圧洗浄機への取り付け例を示す側面図である。
【図８】図１に示す取付口の構成を示す断面図である。
【図９】図６に示す調整ピースの構成を示す平面図である。
【図１０】従来の高圧洗浄機の構成を示す側面図である。
【図１１】従来の高圧洗浄機の構成を示す側面図である。
【図１２】従来の高圧洗浄機の構成を示す側面図である。
【発明を実施するための形態】
【００１２】
次に、本発明の実施の形態を、図面を参照して具体的に説明する。なお、各図面に示される同一または同等の構成要素、部材、処理等には同一の符号を付し、適宜重複した説明は省略する。
【００１３】
本実施の形態のブロア装置２０は、図１乃至図４を参照すると、水流を回転運動に変換する動力部３０と、動力部３０によって変換された回転運動を気流に変換するブロア部４０とを備え、図５乃至図７に示すように、アタッチメントとして高圧洗浄機のトリガガン８に取り付けて使用される。なお、図１はブロア部４０側から見た側面図であり、図２は動力部３０側から見た側面図である。また、図１乃至図４に示す矢印Ａは、エアーの流れを示している。
【００１４】
動力部３０は、筐体２１によって水密構造に画定された動力室３１と、高圧水の水路に接続され、動力室３１内に水を吐出させる取付口３２と、動力室３１に配置され、取付口３２から吐出される水によって回転する水車３３と、動力室３１外に水を排出する排出口３４とを備えている。本実施の形態では、取付口３２は、高圧洗浄機の出水口３から出力される高圧水の水路である高圧ホース７に接続されたトリガガン８に接続して用いられる。トリガガン８は、高圧水の遮断／解放を可能とする開閉弁を操作する機能、すなわち、高圧水の水路の開閉を操作する機能を有している。
【００１５】
ブロア部４０は、筐体２１によって画定されたファン室４１と、動力部３０の水車３３の回転に追従して回転するファン４２と、ファン４２の回転によってエアーが吸引される吸風口４３と、エアーを排出する排風口４４とを備えている。また、排風口４４には、ノズル４５が取り付けられている。なお、ノズル４５は、排風口４４から取り外し可能に構成されていると共に、吸風口４３に取り付け可能に構成されている。すなわち、排風口４４にノズル４５を取り付けることで、排風口４４から排出されるエアーによって水滴を吹き飛ばすことができ、通常のブロア装置として機能は、吸風口４３にノズル４５を取り付けることで、吸風口４３に吸引されるエアーによって水滴を吸い取ることができる。
【００１６】
動力室３１とファン室４１とは、隣接して画定されており、動力室３１とファン室４１とを隔てる隔壁には、回転軸２２が軸受け２３によって回転可能に支持されている。なお、軸受け２３としては、動力室３１からファン室４１への水の進入を防止する水密軸受けである。回転軸２２には、動力室３１において水車３３が、ファン室４１においてファン４２がそれぞれ取り付けられている。この構成により、水車３３の回転に追従してファン４２が回転する。
【００１７】
取付口３２は、動力室３１内に吐出させる水の吐出圧力と流量とを調整する水量調整機構を備えている。図８を参照すると、取付口３２は、一端が動力室３１に接続され、他端に雌ネジが形成された開口部３２１ａを有する筒形ケーシング部３２１と、一端にトリガガン８に接続される接続部３２２ａを有し、他端に筒形ケーシング部３２１の雌ネジに螺入される雄ネジが形成され、筒形ケーシング部３２１の開口部に螺入された筒状軸体３２２と、筒形ケーシング部３２１と筒状軸体３２２との間に介在する調整ピース３２３とを備えている。調整ピース３２３は、図９に示すように、略円板体であり、中央部に主孔３２３ａと、主孔３２３ａの同心円周上に複数個の副孔３２３ｂとが形成されている。
【００１８】
筒状軸体３２２を筒形ケーシング部３２１に対して回転させることで、開口部内での筒状軸体３２２と筒形ケーシング部３２１との間隔が変化し、筒状軸体３２２おける他端側の供給口３２２ｂと調整ピース３２３と位置が変化する。筒形ケーシング部３２１に対して筒状軸体３２２を深くねじ込んだ状態では、筒状軸体３２２の供給口３２２ｂが調整ピース３２３の主孔３２３ａのみと連結され、副孔３２３ｂは、塞がれた状態となり、主孔３２３ａのみを通って水が流出する。筒形ケーシング部３２１に対して筒状軸体３２２を回転させて緩めると、徐々に副孔３２３ｂが開放され、主孔３２３ａと副孔３２３ｂとを通って水が流出することになり、吐出圧力が減じて流量が増すようになる。このように、取付口３２が備えた水量調整機構により、水車３３を回転させる水の吐出圧力と流量とを変化させることができ、水車３３の回転数を調整することで風量の調整が可能となる。
【００１９】
排出口３４には、ホース３５が接続され、動力室３１内に溜まった水が外部に排出口３４とホース３５とを経由して外部に排出される。なお、図６に示すように、自吸機能付きの高圧洗浄機で溜め水の貯水容器１３を使用する場合や、溜め水の貯水容器１３を直接高圧洗浄機の吸水口２に接続可能な高圧洗浄機では、排出される水を貯水容器１３に戻すことにより循環させて作業が可能である。
【００２０】
また、動力室３１の下面は、回転軸２２の軸方向から見た側面視で、径がファン４２よりも大きい略円弧状の円弧面３１ａに形成されている。そして、動力室３１の円弧面３１ａには、円弧に沿って、すなわち回転軸２２と直交する方向に延びる長穴３１ｂ（図４参照）が形成され、排出口３４は、長穴３１ｂに沿って揺動可能に取り付けられている。図２において、（ａ）は排風口４４に取り付けられたノズル４５を水平方向に向けた状態が、（ｂ）は排風口４４に取り付けられたノズル４５を斜め上方向に向けた状態が、（ｃ）は排風口４４に取り付けられたノズル４５を斜め下方向に向けた状態がそれぞれ示されている。このように、排出口３４は、排出口３４や接続されたホース３５の自重によって最下点まで揺動されることで、動力室３１からの排水がスムーズに行われる。
【００２１】
図５乃至図７に示すように、アタッチメントとして高圧洗浄機のトリガガン８に取り付けた状態で、トリガガン８のトリガ１０を引くことにより、トリガガン８内部の開閉弁が開いて高圧の水が取付口３２から動力室３１に吐出され、水車３３が回転する。水車３３が回転すると、ファン４２が追従して回転する。ファン４２が回転すると、吸風口４３にエアーが吸い込まれ、吸い込まれたエアーが排風口４４を介してノズル４５から送風される。
【００２２】
なお、本実施の形態では、ブロア装置２０をトリガガン８に取り付け、トリガ１０の操作によってＯＮ／ＯＦＦ制御を行うように構成したが、高圧水の水路である高圧ホース７を取付口３２に直接接続し、高圧洗浄機の本体１に設けられたスイッチ６でＯＮ／ＯＦＦ制御を行っても良い。また、ブロア装置２０に、トリガガン８の機能、すなわち、トリガ１０の操作によって開閉弁を開閉する機能を備えても良い。この場合にも、高圧水の水路である高圧ホース７を取付口３２に直接接続することができる。さらに、取付口３２に接続する高圧水の水路は、高圧洗浄機によって加圧されたものに限ることなく、例えば、水道の蛇口１２に接続されたホース１１であっても良い。
【００２３】
また、本実施の形態では、取付口３２に水量調整機能を備え、水車３３の回転数を調整できるように構成したが、取付口３２から動力室３１内に吐出される水の向きを変更できるよう構成し、水車３３の回転数の調整や、回転方向の変更を行うことができるように構成しても良い。
【００２４】
以上説明したように、本実施の形態によれば、高圧水の水路に接続され、動力室３１内に水を吐出させる取付口３２と、動力室３１に配置され、取付口３２から吐出される水によって回転する水車３３と、動力室３１外に水を排出する排出口３４とを有する動力部３０と、水車３３の回転に追従して回転するファン４２と、ファン４２の回転によってエアーが吸引される吸風口４３と、吸風口４３から吸引されたエアーを排出する排風口４４とを有するブロア部４０とを備えている。
この構成により、洗浄作業に用いる高圧水を動力として用いることができるため、高圧水を用いた洗浄作業に引き続いて水滴の除去作業を行う際に、電源を確保することがなく、エアーを用いた水滴の除去作業を行うことができる。
【００２５】
さらに、本実施の形態によれば、取付口３２は、高圧洗浄機からの高圧水の水路である高圧ホース７に接続されたトリガガンとの接続部を備えている。
この構成により、
高圧洗浄機のトリガガンに取り付けることができるため、高圧洗浄機のブロワアタッチメントとして用いることができ、高圧洗浄機による洗浄作業に引き続いて行われる水滴除去作業をスムーズに行うことができる。
【００２６】
さらに、本実施の形態によれば、取付口３２は、吐出圧力を調整する水量調整機構（筒形ケーシング部３２１、筒状軸体３２２、調整ピース３２３）を備えている。
この構成により、ブロア装置側で簡単に風量の調整を行うことができる。
【００２７】
さらに、本実施の形態によれば、動力室３１の下面は、水車３３の回転軸２２方向から見て略円弧状の円弧面３１ａであり、円弧面３１ａには、円弧に沿って長穴３１ｂが形成され、排出口３４は、長穴３１ｂに沿って揺動可能に取り付けられている。
この構成により、排出口３４は、排出口３４や接続されたホース３５の自重によって最下点まで揺動されることで、動力室３１からの排水がスムーズに行われる。
【００２８】
以上、本発明を実施の形態をもとに説明した。本実施の形態は例示であり、それらの各構成要素の組み合わせ等にいろいろな変形例が可能なこと、またそうした変形例も本発明の範囲にあることは当業者に理解されるところである。
【符号の説明】
【００２９】
１  本体
２  吸水口
３  出水口
４  ポンプ
５  モータ
６  スイッチ
７  高圧ホース
８  トリガガン
９  ノズル
１０  トリガ
１１  ホース
１２  蛇口
１３  貯水容器
２０  ブロア装置
２１  筐体
２２  回転軸
３０  動力部
３１  動力室
３１ａ  円弧面
３１ｂ  長穴
３２  取付口
３３  水車
３４  排出口
３５  ホース
４０  ブロア部
４１  ファン室
４２  ファン
４３  吸風口
４４  排風口
４５  ノズル
３２１  筒形ケーシング部
３２１ａ  開口部
３２２  筒状軸体
３２２ａ  接続部
３２２ｂ  供給口
３２３  調整ピース
３２３ａ  主孔
３２３ｂ  副孔
【図１】
2014233659.tif 000003
【図２】
2014233659.tif 000004
【図３】
2014233659.tif 000005
【図４】
2014233659.tif 000006
【図５】
2014233659.tif 000007
【図６】
2014233659.tif 000008
【図７】
2014233659.tif 000009
【図８】
2014233659.tif 000010
【図９】
2014233659.tif 000011
【図１０】
2014233659.tif 000012
【図１１】
2014233659.tif 000013
【図１２】
2014233659.tif 000014